(57)【特許請求の範囲】
【請求項１】
重ねられた複数枚の第１記録媒体が載置される昇降可能な給紙台と、前記給紙台の上方の所定位置に設けられて前記給紙台の上昇に伴って第１記録媒体を上から順に送り出す第１給紙手段とを有する親給紙装置に対して着脱可能に取り付けられ、前記第１記録媒体とは種類の異なる第２記録媒体の供給に使用できる給紙装置であって、
重ねられた複数枚の第２記録媒体が載置されて前記給紙台の上に着脱可能に取り付けられる基体と、前記基体に設けられて積載された第２記録媒体を下から順に送り出す第２給紙手段とを有し、
前記親給紙装置の第１給紙手段が前記第２給紙手段より送りだされた第２記録媒体を搬送する搬送手段として使用される給紙装置において、
前記第１給紙手段が、第１記録媒体を上から取り出す取り出し手段と、前記取り出し手段が取り出した第１記録媒体を１枚ずつ捌いて送りだす捌き手段とを備えており、
前記第１給紙手段が搬送手段として使用される場合は、前記取り出し手段が前記所定位置よりも上方に移動して取り出し機能を停止し、前記捌き手段が捌き機能を停止した状態であることを特徴とする給紙装置。
【請求項２】
重ねられた複数枚の第１記録媒体が載置される昇降可能な給紙台と、前記給紙台の上方の所定位置に設けられて前記給紙台の上昇に伴って第１記録媒体を上から順に送り出す第１給紙手段とを有する親給紙装置に対して着脱可能に取り付けられ、前記第１記録媒体とは種類の異なる第２記録媒体の供給に使用できる給紙装置であって、
重ねられた複数枚の第２記録媒体が載置されて前記給紙台の上に着脱可能に取り付けられる基体と、前記基体に設けられて積載された第２記録媒体を下から順に送り出す第２給紙手段とを有し、
前記親給紙装置の第１給紙手段が前記第２給紙手段より送りだされた第２記録媒体を搬送する搬送手段として使用される給紙装置において、
前記第１給紙手段が、最上の第１記録媒体に接触してこれを取り出す第１ローラと、前記第１ローラが取り出した第１記録媒体を１枚ずつ捌いて送りだす第２ローラ及び前記第２ローラとの接触状態を調整できる捌き部材とを備えており、
前記第１給紙手段が搬送手段として使用される場合は、前記第１ローラを前記給紙装置上の最上の第２記録媒体に接触しない上方の位置に移動させ、前記捌き部材が捌き機能を停止するように前記第２ローラとの接触状態を調整した状態であることを特徴とする給紙装置。
【請求項３】
前記捌き部材が傾斜角度調整可能な第１捌き板であり、前記第１給紙手段が搬送手段として使用される場合において前記第１捌き板は第２記録媒体の送り方向に対する角度が小さくなるように調整されて前記第２ローラとともに前記第２記録媒体を搬送する手段として機能するように設定される請求項２記載の給紙装置。
【発明の詳細な説明】
【０００１】
【発明の属する技術分野】
本発明は、印刷装置等で使用される給紙装置に関する。本発明の給紙装置は、印刷装置の給紙装置に必要に応じて取り付けて使用する着脱可能な装置である。本発明の給紙装置は、通常の用紙以外の特殊な用紙を供給するために有用である。
【０００２】
【従来の技術】
従来の一般的な印刷機は、用紙を供給するための給紙装置を備えている。例えばこの給紙装置は、重ねられた多数枚の用紙を積載する昇降可能な給紙台と、前記給紙台の上方に設けられた給紙手段を有している。給紙手段は、前記給紙台の上昇に伴い、所定のタイミング及び位置で印刷用紙を上から順に印刷機に向けて送り出す。
【０００３】
【発明が解決しようとする課題】
従来の印刷機に付設された給紙装置は、供給できる用紙の種類、厚さ、紙質、サイズ等に制限があった。通常は、使用頻度の高い規格化された用紙だけが供給可能である。これ以外の用紙は供給するのが難しい。例えば、複数層を積層してなるカードや表面をコーティングしたカード等の特殊なカード、また封筒等は、安定的に搬送して印刷装置の印刷部に供給することが困難である。
【０００４】
例えば、給紙装置は、取り出された用紙を一枚ずつ捌くために、互いに接触したピックアップローラとゴム製の捌き部材を有している。２枚以上の用紙が同時に取り出されても、ピックアップローラと捌き部材の間で捌かれて１枚だけが送りだされる。前述した特殊なカードは、ピックアップローラと捌き部材の間を通過する間にゴム製の捌き部材で擦られて表面に傷がついたり、カードの前端面に捌き部材の汚れが付着したりすることがあった。また、封筒は、空気層を挟んで紙が２枚重なった中央部と、紙が折り返されている端部とでは、構造が異なる。このため、重ねた封筒の上からローラを接触させて上の封筒から送りだす場合には、重ねた封筒の中央部分がローラで押されて凹み、先端部分が浮き上がってしまう。浮き上がって先端部はピックアップローラに引っ掛かってしまい搬送できなくなる。
【０００５】
このように、従来の印刷機に付設された給紙装置では、特殊な用紙が搬送できず、空送、重送等のジャム、用紙への損傷、用紙の舞い上がり、捌き音、印刷位置ずれ等の不都合が発生して安定した供給ができなかった。
【０００６】
本発明は、通常の給紙装置に着脱可能に取り付けて特殊な用紙の供給に使用することができるユニット式の給紙装置を提供することを目的としている。
【０００７】
【課題を解決するための手段】
請求項１に記載された給紙装置（３）は、重ねられた複数枚の第１記録媒体（印刷用紙４０）が載置される昇降可能な給紙台（３０）と、前記給紙台の上方の所定位置に設けられて前記給紙台の上昇に伴って第１記録媒体を上から順に送り出す第１給紙手段（３３）とを有する親給紙装置（２）に対して着脱可能に取り付けられ、前記第１記録媒体とは種類の異なる第２記録媒体（被印刷体１００）の供給に使用できる給紙装置である。この給紙装置（３）は、重ねられた複数枚の第２記録媒体が載置されて前記給紙台の上に着脱可能に取り付けられる基体（６０）と、前記基体に設けられて積載された第２記録媒体を下から順に送り出す第２給紙手段（６１）とを有し、前記親給紙装置の第１給紙手段が前記第２給紙手段より送りだされた第２記録媒体を搬送する搬送手段として使用される。そして、この給紙装置（３）は、前記第１給紙手段が、第１記録媒体を上から取り出す取り出し手段（３４）と、前記取り出し手段が取り出した第１記録媒体を１枚ずつ捌いて送りだす捌き手段（３５）とを備えており、前記第１給紙手段が搬送手段として使用される場合は、前記取り出し手段が前記所定位置よりも上方に移動して取り出し機能を停止し、前記捌き手段が捌き機能を停止した状態であることを特徴としている。
【０００８】
請求項１に記載された給紙装置（３）は、重ねられた複数枚の第１記録媒体（印刷用紙４０）が載置される昇降可能な給紙台（３０）と、前記給紙台の上方の所定位置に設けられて前記給紙台の上昇に伴って第１記録媒体を上から順に送り出す第１給紙手段（３３）とを有する親給紙装置（２）に対して着脱可能に取り付けられ、前記第１記録媒体とは種類の異なる第２記録媒体（被印刷体１００）の供給に使用できる給紙装置である。この給紙装置（３）は、重ねられた複数枚の第２記録媒体が載置されて前記給紙台の上に着脱可能に取り付けられる基体（６０）と、前記基体に設けられて積載された第２記録媒体を下から順に送り出す第２給紙手段（６１）とを有し、前記親給紙装置の第１給紙手段が前記第２給紙手段より送りだされた第２記録媒体を搬送する搬送手段として使用される。そして、この給紙装置（３）は、前記第１給紙手段が、最上の第１記録媒体に接触してこれを取り出す第１ローラ（スクレーパローラ３４）と、前記第１ローラが取り出した第１記録媒体を１枚ずつ捌いて送りだす第２ローラ（ピックアップローラ３６）及び前記第２ローラとの接触状態を調整できる捌き部材（第１捌き板３７）とを備えており、前記第１給紙手段が搬送手段として使用される場合は、前記第１ローラを前記給紙装置上の最上の第２記録媒体に接触しない上方の位置に移動させ、前記捌き部材が捌き機能を停止するように前記第２ローラとの接触状態を調整した状態であることを特徴としてる。
【００１０】
請求項３に記載された給紙装置は、請求項２記載の給紙装置において、前記捌き部材が傾斜角度調整可能な第１捌き板（３７）であり、前記第１給紙手段が搬送手段として使用される場合において前記第１捌き板は第２記録媒体（被印刷体１００）の送り方向に対する角度が小さくなるように調整されて前記第２ローラ（ピックアップローラ３６）とともに前記第２記録媒体を搬送する手段として機能するように設定されることを特徴としている。
【００１７】
【発明の実施の形態】
本発明の実施の形態の第１の例を図１〜図１３を参照して説明する。
本例の給紙装置は、印刷機に付設された通常の給紙装置に必要時に取り付けて特殊な用紙の供給に使用する着脱式の給紙装置である。本例では、図１に示す孔版印刷装置１の給紙装置を親給紙装置２と呼び、本例のユニット式の給紙装置３は、この親給紙装置２に取り付けて使用する。また、本例では、親給紙装置と給紙装置の双方ともに記録媒体を供給するが、特に親給紙装置が供給する記録媒体を印刷用紙と呼び、給紙装置３が供給する記録媒体を被印刷体と呼び、互いに区別する。
【００１８】
図１は、本例の給紙装置３が適用される孔版印刷装置１の主要構造を模式的に示した図である。印刷ドラム１０は、所定間隔をおいて配置された二枚の円盤形の側板１１と、これらを接続する剛体のクランプベース１２とを有している。さらに、インキ通過性で可撓性の周壁１３が側板１１の外周面に巻かれている。周壁１３はスクリーン部材により構成されている。スクリーン部材は、ステンレスワイヤなどの線材を網状に織製したものである。周壁１３は、径方向に膨出変形可能である。
【００１９】
クランプベース１２には孔版原紙の先端をクランプするクランプ板１４が取り付けられている。孔版原紙はクランプ板１４によりクランプベース１２に係止され、周壁１３の外周面に巻き付け装着される。
【００２０】
印刷ドラム１０は当該印刷ドラム１０を軸線方向に貫通する中心軸１５の周りに回転可能に支持されている。印刷ドラム１０は駆動機構によって図１において反時計周り方向に回転駆動される。
【００２１】
印刷ドラム１０内にはインキ供給手段１６が設けられている。インキ供給手段１６は、周壁１３の内周面にインキを供給する中押しロール１７と、中押しロール１７の外周面にインキを供給するドクターロール１８を有している。中押しロール１７は、印刷ドラム１０の中心軸１５に平行である。中押しロール１７は図示しない揺動機構に取り付けられており、昇降可能である。そして、中押しロール１７は印刷ドラム１０の回転に同期して昇降駆動される。印刷時には周壁１３の内周面を外向きに押圧し、非印刷時には周壁１３の内周面から離れる。
【００２２】
印刷ドラム１０の下方には紙胴１９がある。紙胴１９は自身の中心軸２０の周りに回転可能に支持されている。紙胴１９は印刷ドラム１０と同一外径である。紙胴１９と印刷ドラム１０は平行であり、かつ回転方向について所定の位相となるように配置されている。紙胴１９と外方に変形していない印刷ドラム１０との間には所定の間隔がある。紙胴１９は印刷ドラム１０を駆動する駆動機構によって図１において時計周り方向に印刷ドラム１０に同期して回転駆動される。
【００２３】
紙胴１９の外周面には凹部２１が形成されている。図１に示すように、凹部２１とクランプ板１４が対応するように紙胴１９と印刷ドラム１０の回転方向の位置関係を定めれば、紙胴１９と印刷ドラム１０が回転駆動しても、クランプ板１４が紙胴１９に衝突することはない。紙胴１９の外周面には、印刷用紙の先端部を掴むための爪２２が開閉可能に設けられている。
【００２４】
図１に示すように、親給紙装置２は、印刷用紙を積載して昇降する給紙台３０を有している。図２に示すように、給紙台３０はモータ３１とこれに連動する駆動機構３２により、水平を保持しながら昇降することができる。
【００２５】
図１及び図２に示すように、親給紙装置２は、給紙台３０の上方に第１給紙手段３３を有している。第１給紙手段３３は、給紙台３０上の印刷用紙を上から一枚づつ送り出す。
【００２６】
図１に示すように、第１給紙手段３３は、印刷用紙を上から取り出す取り出し手段としての第１ローラであるスクレーパローラ３４と、取り出された印刷用紙を１枚ずつ捌いて送りだす捌き手段３５を備えている。本例の捌き手段３５は、第２ローラであるピックアップローラ３６と、これに接触する捌き部材としての第１捌き板３７からなる。
【００２７】
図１に示すように、スクレーパローラ３４とピックアップローラ３６は各々の回転軸が平行であり、共通の筐体３８（板金）に並べて取り付けられている。図２に示すように、ピックアップローラ３６の回転軸３６ａを中心として、筐体３８及びスクレーパローラ３４は所定範囲内で上下方向に揺動可能とされている。また、筐体３８の上方には位置決めセンサ３９（スイッチ）が設けられている。給紙台３０が上昇すると、給紙台３０上の印刷用紙４０がスクレーパローラ３４に接触する。スクレーパローラ３４と筐体３８は、ピックアップローラ３６の回転軸３６ａを中心として上方に旋回する。この上方に移動した筐体３８が位置決めセンサ３９を作動させる。位置決めセンサ３９が出力した信号により、給紙台３０の上昇が停止する。この時、スクレーパローラ３４は給紙台３０上の印刷用紙４０の上面に接した状態にある。これが、印刷用紙４０を取り出すための正規の取り出し位置である。この位置にて不図示の駆動手段によりスクレーパローラ３４及びピックアップローラ３６が所定のタイミングで回転駆動される。印刷用紙４０の取り出しに伴って用紙が減ると給紙台３０が上昇し、常に一番上の印刷用紙４０が正規の取り出し位置に設定される。
【００２８】
図３は、第１給紙手段３３の捌き手段３５を示している。前述したように、捌き手段３５は、ピックアップローラ３６と、これに接触する第１捌き板３７からなる。第１捌き板３７はゴム製であり、その給紙台３０側はステンレスのカバー４１で覆われている。第１捌き板３７が取り付けられている基部材４２は調整軸４３の先端に固定されている。調整軸４３には図示しないばね等の付勢手段が設けてあり、第１捌き板３７を上方に付勢してピックアップローラ３６に接触させている。また、第１捌き板３７を保持している調整軸４３は、調整ダイヤル４４によって支持軸４５を中心として傾斜を調整することができ、これによって第１捌き板３７とピックアップローラ３６との接触状態を調整できる。
【００２９】
図１に示すように、印刷ドラム１０と紙胴１９に関して、前記第１給紙手段３３と反対の側には、排紙部５０が設けられている。排紙部５０は、排紙ピンチロール５１と、印刷用紙を紙胴１９から引き離す用紙分離爪５２と、印刷用紙を用紙飛翔台５３へ送り出す排紙ピンチロール対５４と、印刷済みの印刷用紙を載置する排紙台５５等を有している。
【００３０】
以上説明した孔版印刷装置１の動作を説明する。
製版された孔版原紙が印刷ドラム１０の外周面に巻き付け装着される。印刷ドラム１０と紙胴１９が回転を開始する。親給紙装置２から印刷用紙４０が一枚づつ取り出される。印刷用紙４０は、その先端を紙胴１９の爪２２に保持され、紙胴１９の回転によって運ばれる。これに同期して印刷ドラム１０の中押しローラ１７が周壁１３を外方に押し出す。印刷用紙４０は、紙胴１９と印刷ドラム１０の変形した部分の孔版原紙との間に挟まれて搬送され、印刷される。印刷された印刷用紙４０は排紙部５０によって印刷ドラム１０から剥がされて排紙台５５に排出される。
【００３１】
以上説明した孔版印刷装置１は、給紙台３０上に規格化された用紙を積載し、これに印刷を行う。特殊なカードや封筒等の被印刷体を印刷する時には、以下に説明する本例の着脱式の給紙装置３を使用する。
【００３２】
図４〜図７に示すように、この給紙装置３は、複数枚の被印刷体が重ねて載置される略箱型の基体６０を備えている。この基体６０は略箱型であり、やや傾斜した後半部の上に被印刷体が載置され、搬送面である前半部の上面に沿って被印刷体を搬送して前記孔版印刷装置１に被印刷体を送り込む。基体６０の下面には係止部６０ａがある。この係止部６０ａは給紙台３０の上面に設けられた凹部３０ａに係合する。基体６０の係合部６０ａを給紙台３０の凹部３０ａにはめ込めば、基体６０を給紙台３０の上面の所定位置に取り付けることができる。
【００３３】
基体６０の後半部には第２給紙手段６１が設けられている。まず、第２給紙手段６１は捌きローラ６２を有している。捌きローラ６２は同軸に設けられた３個のローラからなる。捌きローラ６２は基体６０の略中央にあり、基体６０の搬送面から一部が上方に突出している。捌きローラ６２は基体６０内に設けられた駆動源のモータ６３に連動機構のギア列を介して連結されている。捌きローラ６２の駆動軸にはクラッチが設けられており、被印刷体を所定のタイミングで間欠的に送りだすことができる。
【００３４】
次に、第２給紙手段６１は、第２捌き板６４を有している。第２捌き板６４は、基体６０の搬送面の上方に設置されており、捌きローラ６２に対面している。
【００３５】
即ち、基体６０の略中央の上方には、用紙の搬送方向と直交する方向に沿って支持軸６５が設置されている。支持軸６５の両端は基体６０の両側壁に連結されている。この支持軸６５の中央の後方側には、取り付け板６６が固定されている。取り付け板６６には、被印刷体の突き当て板６７が取り付けられている。突き当て板６７は上半部が搬送面に対して略垂直であり、搬送面に近接した下端部は外（被印刷体の搬送方向）に凸の周面になっている。
【００３６】
この取り付け板６６には第２捌き板６４が上下方向にのみ移動可能に設けられている。第２捌き板６４は、円筒の一部のような、外に凸の周面とされた捌き面を有している。第２捌き板６４は、捌き面が突き当て板６７の周面に略一致するような位置にある。この捌き面にはゴムシート体などの摩擦材料が巻装されている。
【００３７】
また、取り付け板６６には調整手段としての調整ねじ６８が下向きに取り付けられている。調整ねじ６８は取り付け板６６に対して回転できるが軸方向には移動できない。この調整ねじ６８の先端が、取り付け板６６に対して上下動のみが許容された第２捌き板６４にねじ込まれている。よって、調整ねじ６８を回転させれば、第２捌き板６４は調整ねじ６８の送り力によって取り付け板６６に対して上下方向に移動する。その結果、第２捌き板６４と捌きローラ６２の間隔を調整することができる。
【００３８】
基体６０の前半部には、被印刷体の搬送手段７０が設けられている。搬送手段７０は、第２捌きローラ６２に隣接して設けられた搬送ローラ７１と、一対のベルト７２を有している。搬送手段７０は、捌きローラ６２の連動機構にベルトで連結されて駆動され、捌きローラ６２と第２捌き板６４の間から送られた被印刷体をさらに前方に搬送する。搬送手段７０は、捌きローラ６２の間欠的な作動の間、連続的に運転される。搬送ローラ７１の上方には対向ローラ７３が設けられている。対向ローラ７３は取り付け板６６に取り付けられており、取り付け板６６に設けられた調整ねじ７４によって昇降できる。調整ねじ７４によって対向ローラ７３と搬送ローラ７１によって被印刷体を挟む圧力を調整できる。
【００３９】
搬送手段７０の上方には被印刷体の押さえ手段８０が設けられている。押さえ手段８０は、支持軸６５に回動可能に取り付けられた板部８１と、板部８１に設けられた４個の押さえローラ８２を有する。搬送手段７０の１本のベルト７２に前後２個の押さえローラ８２が対応する。押さえ手段８０は自重によって被搬送体を搬送手段７０の上に押しつけて搬送を安定化させる。
【００４０】
基体６０の搬送面には側板８５が調整可能に設けられている。側板８５は、基体６０の前半側の用紙ストック用の側板８５ａと、基体６０の後半側の用紙搬送案内用の側板８５ｂからなる。用紙搬送案内用の側板８５ｂよりも、用紙ストック用の側板８５ａの方が被印刷体を積層するために高さが大きい。両側板ともに支持軸６５に対してスライド可能であり、ねじ８６で固定する。
【００４１】
基体６０の搬送面の上において、用紙ストック用の側板８５ａの後方には被印刷体の支持手段９０が設けられている。支持手段９０は、基体６０の搬送面から後方にスライド可能とされた基板９１と、基板９１に固定されて上方に傾斜した板部９２と、板部９２の上方に設けられたローラ９３を有している。支持手段９０は、重ねられた複数の被印刷体の後部を搬送面から持ち上げて被印刷体の下面と搬送面の接触抵抗を少なくするように支持する。ローラ９３は被印刷体を搬送する際の抵抗をこのローラ９３を回転させることにより低減する。基板９１は、被搬送体が長い時に伸ばして使い、短いときには収納したままで使う。
【００４２】
基体６０の前端部には、設定スイッチ９５が設けられている。この給紙装置３を給紙台３０上の所定位置に取り付けると、設定スイッチ９５が孔版印刷装置１に当たって作動し、信号を出力する。この信号を用いて、給紙装置３が給紙台３０上の正規位置に取り付けられたことを確認することができる。さらに、設定スイッチ９５がＯＮになった時のみ、モータ６３が駆動できるようにしてもよい。また、設定スイッチ９５がＯＮになった時のみ、孔版印刷装置１の制御装置と給紙装置３を電気的に接続するようにしてもよい。
【００４３】
前記押さえ手段８０の板部８１の前端には、操作部材８３が設けられている。給紙台３０に本給紙装置３を正規の状態で取り付け、さらに給紙装置３が給紙を行うための正規の位置に給紙台３０が設定された時、操作部材８３は孔版印刷装置１側のスクレーパローラ３４の筐体３８を持ち上げて被印刷体の搬送面から離す。即ち、本給紙装置３を使用する時には、孔版印刷装置１側の第１給紙手段３３による給紙機能が不要になるので、操作部材８３は給紙装置３の使用位置において孔版印刷装置１の第１給紙手段３３の給紙機能を解除する。
【００４４】
この時、孔版印刷装置１の第１給紙手段３３の第１捌き板３７は、被印刷体の送り方向に対する角度が小さくなるように調整されている。即ち、第１捌き板３７は、第１給紙手段３３が通常に機能している場合には、図１０の上に示すようにゴム（第１捌き板３７）とピックアップローラ３６が接触した状態にある。第１給紙手段３３が使用されない場合には、図１０の下に示すように、被印刷体が搬送される方向に対する迎え角度が小さくなり、即ちゴム（第１捌き板３７）の表面が水平に近くなり、従ってピックアップローラ３６はゴム（第１捌き板３７）と接触せず、ステンレスのカバー４１に接触した状態にある。この状態では、ピックアップローラ３６と第１捌き板３７は捌き手段３５としては機能せず、送り込まれた被印刷体を単に先に送りだすための搬送手段として機能するのみである。
【００４５】
このように本給紙装置３を使用する場合に、孔版印刷装置１側の第１給紙手段３３による給紙機能は解除乃至停止され、単に搬送手段として機能する。そのための操作は、給紙台３０に給紙装置３を設置することによって自動的に行われるようにしてもよいし、別途手動で行うようにしてもよい。
【００４６】
次に、本例の給紙装置の作用について説明する。
孔版印刷装置１の調整ダイヤル４４を回して第１捌き板３７を略水平にし、捌き機能を解除する。給紙台３０上に積載されていた印刷用紙を取り出す。次に、本給紙装置３を孔版印刷装置１の給紙台３０の所定位置に設置する。給紙装置の設定スイッチ９５が作動して給紙装置３が給紙台３０に正しく取り付けられたことが確認される。さらに、設定スイッチ９５の信号に基づき、孔版印刷装置１と給紙装置３がタイミングを合わせて連動できるような状態が設定される。後は、孔版印刷装置１の図示しない操作パネルからすべての操作を行うことができる。
【００４７】
図８及び図９に示すように、支持手段９０の上に複数枚の被印刷体１００を重ねて載置する。被印刷体１００は傾斜した板部９２に立てかけられた状態になるので、一番下の被印刷体１００と基体６０の搬送面は接触しない。よって、一番下の被印刷体１００を送りだす際に摩擦抵抗が少ない。また、被印刷体１００は基体６０上で斜めの姿勢になり、重ねられた被印刷体１００は突き当て板６７の周面に沿って少しずつ前方にずれて下のものほど前に位置する。よって、一番下の被印刷体１００から一枚ずつ順に送りだしやすい。
【００４８】
第２捌き板６４と捌きローラ６２の間隔は、被印刷体１００の１枚の厚さよりもやや大きい程度に設定する。ピックアップローラ３６と第１捌き板３７が相当の圧力を持って接触していた従来の捌き手段３５に比べ、本例では被印刷体１００に加えられる圧力はなくなり、斜め方向より進入してくる被印刷体と捌きローラ６２の接触により被印刷体１００を搬送するようになっている。従って、被印刷体１００にきずが付きにくい。
【００４９】
孔版印刷装置１の操作パネル等において印刷スタートキーが押下されると、印刷動作を開始する。まず、給紙台３０が上昇して給紙装置３の正規の位置を決める。即ち、給紙台３０が上昇して給紙装置３が正規の給紙位置に設定された時、給紙装置３の操作部材８３が孔版印刷装置１側に設けられたスクレーパローラ３４の筐体３８を持ち上げて被印刷体１００の搬送面から離す。即ち、孔版印刷装置１の第１給紙手段３３の給紙機能が解除され、同時に持ち上げられた筐体３８が位置決めセンサ３９（スイッチ）を作動させて給紙台３０を停止させる。
【００５０】
モータ６３が駆動し、捌きローラ６２の駆動軸に設けられたクラッチが接続される。これによって、孔版印刷装置１の印刷動作にタイミングを合わせて捌きローラ６２が間欠的に回転し始める。重ねられた被印刷体１００は最下のものから取り出される。被印刷体１００は上に重ねられた他の被印刷体１００によって押さえられているが、その力は被印刷体１００を引き出す斜め下方に向いているので、捌きローラ６２による引き出し力は従来よりも相対的に小さくて済む。従って、この点においても被印刷体１００にきずが付きにくい。
【００５１】
被印刷体１００は、捌きローラ６２と第２捌き板６４の間で捌かれて一枚になり、搬送手段７０によって搬送される。被印刷体１００は押さえ手段８０の自重によって搬送手段７０に押しつけられ、安定して搬送される。
【００５２】
孔版印刷装置１側において、ピックアップローラ３６と第１捌き板３７のステンレスカバー４１は接している。搬送された被印刷体１００は、ピックアップローラ３６とステンレスカバー４１の間に突き当たって一旦停止する。そして、孔版印刷装置１側の印刷タイミングに合わせて駆動されるピックアップローラ３６により、孔版印刷装置１内に送り込まれて印刷される。即ち、本体側のピックアップローラ３６と第１捌き板３７は、本給紙装置３の使用時には、捌き手段としての機能は解除されているが、被印刷体１００の搬送手段としては機能している。
尚、第１捌き板３７を略水平にし、ピックアップローラ３６と第１捌き板３７のステンレスカバー４１が接するようにするためには、孔版印刷装置１の調整ダイヤル４４を手動で回してセットしたが、調整ダイヤル４４の軸にモータからの回転力を伝達できるように構成し、設定スイッチ９５の信号によりモータを駆動させて自動的にセットするようにしてもよい。
【００５３】
【発明の効果】
印刷機に設けられた給紙手段であらゆる種類の用紙を安定して搬送することは困難である。しかしながら、本発明によれば、印刷機の給紙手段に必要な時に取り付けて特殊な用紙を下取り方式で安定して印刷機に供給することができる。
【図面の簡単な説明】
【図１】本発明の給紙装置が適用される孔版印刷装置の主要構造を模式的に示した図である。
【図２】前記孔版印刷装置の給紙台の斜視図である。
【図３】前記孔版印刷装置の第１給紙手段の捌き手段を示す断面図である。
【図４】前記給紙装置の断面図の後半分である。
【図５】前記給紙装置の断面図の前半分である。
【図６】前記給紙装置の平面図の後半分である。
【図７】前記給紙装置の平面図の前半分である。
【図８】被印刷体を積載した前記給紙装置の断面図の後半分である。
【図９】被印刷体を搬送している前記給紙装置の断面図の後半分である。
【図１０】前記孔版印刷装置の前記捌き手段における第１捌き板の傾斜状態の調整を示す図である。
【符号の説明】
１  孔版印刷装置
２  親給紙装置
３  給紙装置
３０  給紙台
３３  第１給紙手段
３４  取り出し手段としてのスクレーパ
３５  捌き手段
３６  ピックアップローラ
３７  捌き部材としての第１捌き板
３９  位置決めセンサ
４０  印刷用紙
６０  基体
６１  第２給紙手段
６２  捌きローラ
６４  第２捌き板
７０  搬送装置
８０  押さえ手段
９０  支持手段
１００  被印刷体
【図１】
0003645117.tif 000002
【図２】
0003645117.tif 000003
【図３】
0003645117.tif 000004
【図４】
0003645117.tif 000005
【図５】
0003645117.tif 000006
【図６】
0003645117.tif 000007
【図７】
0003645117.tif 000008
【図８】
0003645117.tif 000009
【図９】
0003645117.tif 000010
【図１０】
0003645117.tif 000011